(57)【要約】【課題】カメラレコーダ等で記録された映像・音声を編集を施して再生・送出する際に使用されるノンリニア編集装置において、装置内の記録媒体にカメラレコーダ等で記録した映像・音声をコピーする作業を無くすことを目的とする。【解決手段】複数のＰＣカードスロット部１と、ＰＣカードスロット部に挿入されたメモリカード１０２に記録された複数の映像音声ファイルから必要な部分を選択して任意の順番で並べることにより再生リストを作成および管理する再生リスト管理手段５と、再生リストに基づいてメモリカードに記録された複数の映像音声ファイルを連続して再生する再生手段２と、外部からの同期信号を入力する同期信号入力手段３と、再生手段によって再生された映像音声を同期信号に同期して出力する映像音声出力手段４とを備えた構成とした。【選択図】図１
2005236950.tif 000002
【特許請求の範囲】
【請求項１】
メモリカードを挿入可能な複数のメモリカードスロット部と、
前記メモリカードスロット部に挿入された前記メモリカードに記録された複数の映像音声ファイルから必要な部分を選択して任意の順番で並べることにより再生リストを作成および管理する再生リスト管理手段と、
前記再生リストに基づいて前記メモリカードに記録された複数の映像音声ファイルを連続して再生する再生手段と、
外部からの同期信号を入力する同期信号入力手段と、
前記再生手段によって再生された映像音声を前記同期信号に同期して出力する映像音声出力手段とを備えた映像記録再生装置。
【請求項２】
前記再生リストを前記メモリカードスロット部に挿入された前記メモリカードに記録再生するメモリカード制御手段をさらに備えた請求項１記載の映像記録再生装置。
【請求項３】
取り外し可能な記憶媒体を挿入可能な記録媒体挿入部と、
前記記録媒体挿入部に挿入した記録媒体に前記再生リストを記録再生する記録媒体制御手段をさらに備えた請求項１記載の映像記録再生装置。
【請求項４】
外部から入力された映像音声を前記メモリカードスロット部に挿入された前記メモリカードに記録する映像音声記録手段をさらに備え、
前記再生リストに基づいた複数の映像音声の連続再生中に前記映像音声記録手段に入力された映像音声を、再生中の映像・音声に追加または置換すると共に、追加または置換処理に応じて再生リストを修正する請求項１乃至３のいずれかに記載の映像記録再生装置。
【請求項５】
前記再生手段によって再生された映像を表示する映像表示部をさらに備えた請求項１乃至４のいずれかに記載の映像記録再生装置。
【請求項６】
前記再生リストにもとづいて映像音声ファイルから必要な部分のみを切り取り、且つ再生する順番を決めるためのファイル間の関連情報と共にファイル化するファイル作成制御手段をさらに備え、
前記ファイル作成制御手段によってファイル化されたファイルを前記メモリカードに記録する請求項１乃至５のいずれかに記載の映像記録再生装置。
【発明の詳細な説明】
【技術分野】
【０００１】
本発明は、ＰＣカード等のメモリカードにデジタル信号として記録された映像・音声信号を再生する映像記録再生装置に関し、特に複数のＰＣカード内の映像・音声ファイルの任意の部分のみを選択し、連続再生する映像記録再生装置に関する。
【背景技術】
【０００２】
従来の映像記録再生装置（ノンリニア編集装置など）は、カメラレコーダ等でデジタルテープに記録されたデジタル信号を以下のようにして編集し、最終的に得たい映像音声を作成していた。すなわち、デジタル信号を映像記録再生装置内蔵のハードディスク等の記録媒体に先ずコピーし、再生リストを作成することにより編集（加工）などを施して、最後に記録媒体の映像信号を再生リストにしたがって再生して編集結果としての映像音声信号を作成し、これを再びテープに記録していた。
【０００３】
このような従来の映像記録再生装置では、編集を行うために内蔵の記録媒体にデジタルテープ等に記録されたデジタル信号をコピーする必要があり、編集開始までに時間がかかっていた。一方、ニュース取材などは、編集・送出までを短時間で行いたいとの要望があった。そのため従来の映像記録再生装置では、デジタルテープを高速再生（２、４倍速）し、映像記録再生装置内の記録媒体にコピーしていた（例えば、特許文献１、特許文献２参照。）。
【特許文献１】特開平５−３７９０４号公報
【特許文献２】特開２００３−７８８６５号公報
【発明の開示】
【発明が解決しようとする課題】
【０００４】
しかしながら、従来の映像記録再生装置においては、内蔵記録媒体に映像信号をコピーする必要があるために、いくら高速再生しても、コピーには必ず一定の時間が必要であり、即編集（加工）作業ができないという問題点があった。また、パソコン等で構成される映像記録再生装置によって編集を行った際には、外部の同期信号に同期した映像の再生ができないため、直接編集結果としての映像を送出することはできないという問題点があった。
【０００５】
このような課題に鑑み、本発明は、記録媒体を挿入後に即編集が可能で、編集結果を直接送出することが可能な映像記録再生装置を提供することを目的とする。
【課題を解決するための手段】
【０００６】
この課題を解決するために本発明は、メモリカードを挿入可能な複数のメモリカードスロット部と、メモリカードスロット部に挿入されたメモリカードに記録された複数の映像音声ファイルから必要な部分を選択して任意の順番で並べることにより再生リストを作成および管理する再生リスト管理手段と、再生リストに基づいてメモリカードに記録された複数の映像音声ファイルを連続して再生する再生手段と、外部からの同期信号を入力する同期信号入力手段と、再生手段によって再生された映像音声を同期信号に同期して出力する映像音声出力手段とを備えた構成としたものである。
【発明の効果】
【０００７】
本発明の映像記録再生装置は、複数のメモリカードスロット部を備えることにより、メモリカードにデジタル信号として記録された映像・音声信号にランダムアクセスすることができるため、内蔵記録媒体に映像音声をコピーすることなく、メモリカード上の映像音声を用いてそのまま編集を行うことができる。また、再生リストに基づいてメモリカード内の映像・音声ファイルの任意の部分のみを選択し、外部同期に合わせて連続再生できるので、編集結果を直接送出できるという利点がある。
【発明を実施するための最良の形態】
【０００８】
以下、図面を用いて、本発明を実施するための最良の形態について説明する。
【実施例１】
【０００９】
図１は、本発明にかかる第１の実施例のブロック図を示す。図１において１０１が本発明の映像記録再生装置で、１０２は複数のメモリカードとしてのＰＣカードである。図２はＰＣカード内のファイル説明図である。映像記録再生装置１０１において、ＰＣカードスロット１は複数のＰＣカード１０２を挿入するものであり、再生手段２はそのＰＣカードスロット１に挿入されたＰＣカード１０２に予め記録された複数の映像・音声ファイル等を再生するものである。映像音声出力手段４は同期信号入力手段３からの外部同期信号と再生手段２より再生される映像音声信号との同期を合わせて出力する。また、再生リスト管理手段５は、ＰＣカード１０２に記録された映像・音声ファイル等のうち、再生に必要な部分だけを再生リストとして登録管理する。再生リストにおいては、ファイル名、そのファイル内での再生開始点（ＩＮ点）及び再生終了点（ＯＵＴ点）を順番に指定することにより、編集後の映像・音声の再生順を記述する。
【００１０】
以下、上述のような構成を備える映像記録再生装置１０１の動作を図２のＰＣカード内のファイル説明図を用いて説明する。図２は、ＰＣカード１に映像音声ファイルＡ、Ｂ、Ｃ、Ｄが、ＰＣカード２に映像音声ファイルＤ、Ｅが予め記録されていることを示している。ここで、ファイルＤは、ＰＣカード１、２に跨ったファイルとする。  まず、再生手段２により、ＰＣカードに記録されたファイルを再生する等しながら、ユーザーが映像の編集を行う。例えば、ファイルＡを再生して内容を確認し、ファイルＡの中で再生を開始したい部分をＩＮ点に、再生を終了したい部分をＯＵＴ点に設定する。この作業により、ファイルＡの中で必要な部分であるクリップａが再生リスト管理手段５に再生リストとして登録される。ユーザーによるＩＮ点、ＯＵＴ点の指定は、入力手段（図示せず）によって行う。同様に、クリップｂ〜ｅを登録する。ここで、ファイルＣは再生リスト管理手段５に未登録であるとする。これらの再生リストが、再生リスト管理手段５により管理される。  図２の再生リスト上では、クリップがａ、ｂ、ｄ、ｅの順番に並べてあるので、ユーザーが再生リストに従った再生を指示すると、再生手段２は、再生リスト管理手段５が管理する再生リスト通りに、ａ→ｂ→ｄ→ｅの順番で、同期信号入力手段３から入力される外部同期信号に同期して、映像音声信号を連続して再生する。
【００１１】
以上のように本実施例では、内蔵の記録媒体に映像音声をコピーすることなく、ＰＣカード上の映像音声を用いてそのまま編集を行うことができる。また、再生リストに基づいてＰＣカード内の映像・音声ファイルの任意の部分のみを選択し、外部同期に合わせて連続再生できるので、放送局内の設備等、共通の同期信号に従って動作をしなければならない環境においても、編集結果を直接送出できるという利点がある。
【実施例２】
【００１２】
図３は、本発明にかかる第２の実施例のブロック図を示す。図３において１０３が本実施例の映像記録再生装置であり、１０２は複数のＰＣカードである。
【００１３】
図３の映像記録再生装置１０３において、ＰＣカード制御手段６は、再生リスト管理手段５により管理される再生リストそのものを、複数のＰＣカード１０２に対して記録再生するものである。本実施例では、ユーザーが再生リストのＰＣカード１０２への記録を指示すると、ＰＣカード制御手段６により、再生リストがＰＣカード１０２に記録される。したがって、ＰＣカード１０２を挿抜しても再生リストが無くなることがなく、再生リストの管理が容易になる。
【実施例３】
【００１４】
図４は、本発明にかかる第３の実施例のブロック図を示す。図４において１０４が本実施例の映像記録再生装置であり、１０２は複数のＰＣカードである。
【００１５】
図４の映像記録再生装置１０４において、記録媒体制御手段７は、再生リスト管理手段５により管理される再生リストを、記録媒体挿入部８に挿入した取り外し可能な記録媒体に記録再生するものである。取り外し可能な記録媒体としては、ＰＣカードの他、より汎用的なＳＤカード等のメモリカードとしてもよい。
【００１６】
本実施例では、ユーザーが再生リストのＰＣカード１０２への記録を指示すると、記録媒体制御手段７により、再生リストが取り外し可能な記録媒体に記録される。したがって、記録媒体を映像記録再生装置１０３から取り外し、他の外部機器（ノンリニア編集機など；図示せず）に挿入することにより、再生リストのやり取り、管理が容易になる。
【実施例４】
【００１７】
図５は、本発明にかかる第４の実施例のブロック図を示す。図５において１０５が本実施例の映像記録再生装置であり、１０２は複数のＰＣカードである。
【００１８】
図５の映像記録再生装置１０５において、記録手段１０は、映像音声入力手段９から入力される映像音声信号をＰＣカード１０２に記録するものである。  そして、再生リスト管理手段５に登録された再生リストに基づいた複数の映像音声を連続再生中に、映像音声入力手段９に入力された映像音声は、記録手段１０によってＰＣカード１０２に記録されると共に、再生中の映像・音声に追加または置換される。また、この処理に対応して、再生リスト管理手段５は再生リストを修正する。これにより、予めＰＣカード１０２に記録された映像・音声に対して、新たに、映像音声入力手段９から入力された映像・音声を編集結果に追加（いわゆるアフレコ）出来る。即ち、予め記録された映像・音声の追加や修正等が容易に可能となる。なお、ここでは、実施例３に対して記録手段１０、映像音声入力手段９を追加したが、実施例１、２に本実施例の内容を適用しても同様の効果が得られる。
【実施例５】
【００１９】
図６は、本発明にかかる第５の実施例のブロック図を示す。図６において１０６が本実施例の映像記録再生装置であり、１０２は複数のＰＣカードである。
【００２０】
図６の映像記録再生装置１０６において、映像表示部１１は、映像音声入力手段９、及び、映像音声出力手段４からの映像を表示するものである。これにより、手元で再生映像などを見ながら操作できるため、再生リストの登録・修正等が容易に出来る。なお、ここでは、実施例４に対して映像表示部１１を追加したが、実施例１，２、３に本実施例の内容を適用しても同様の効果が得られる。
【実施例６】
【００２１】
図７は、本発明にかかる第６の実施例のブロック図を示す。図７において１０７が本実施例の映像記録再生装置であり、１０２は複数のＰＣカードである。図８は本実施例におけるＰＣカード内のファイル説明図である。
【００２２】
図７の映像記録再生装置１０７において、ファイル作成制御手段１２は、再生リストにもとづいて、ＰＣカードに記録されている映像・音声ファイルから必要な部分のみを切り取り、且つ再生する順番を決めるためのファイル間の関連情報と共にファイル化するものである。これにより、編集結果としての映像・音声を構成するのに必要な部分だけをファイルにし、且つ再生する順番も一緒にしてＰＣカード１０２へ記録することが出来る。
【００２３】
以下、上述のような構成を備える映像記録再生装置１０７の動作を図８のＰＣカード内のファイル説明図を用いて説明する。図８の再生リストａ、ｂ、ｄ、ｅは、実施例１の図２の再生リストと同じ物である。この再生リストに従い、ファイル作成制御手段１２は、ファイルＡ、Ｂ、Ｄ，Ｅより必要な部分のａ、ｂ、ｄ、ｅを切り取り、且つ、ａ→ｂ→ｄ→ｅの順番で再生するためのファイル間の関連情報と共に新たなファイルａ、ｂ、ｄ、ｅとしてＰＣカードに記録することができる。
【００２４】
なお、ここでは、実施例１に対してファイル作成制御手段１２を追加したが、実施例２、３、４，５に本実施例の内容を適用しても同様の効果が得られる。
【００２５】
また、実施例１〜６全てにおいて、同期信号入力手段３を備えることにより外部同期信号に同期して映像音声信号再生することができたが、同期信号入力手段３がない場合でも内部に基準信号を備える（図示していない）ことにより、外部と同期を取っての再生以外の、本発明特有の効果は得ることができる。
【産業上の利用可能性】
【００２６】
本発明の映像記録再生装置は、複数のＰＣカード内の映像・音声ファイルの任意の部分のみを選択し、外部同期に合わせて連続再生できるので、編集した映像を外部同期信号に同期して送出する業務用の映像記録再生装置にも適用できる。
【００２７】
また、複数のＰＣカード内の必要な映像・音声ファイルの任意の部分のみを切り取って新たなファイルとしてＰＣカードに記録することもできるので、編集・送出する業務用の映像記録再生装置にも適用できる。
【図面の簡単な説明】
【００２８】
【図１】本発明の第１の実施例のブロック図
【図２】ＰＣカード内のファイル説明図
【図３】本発明の第２の実施例のブロック図
【図４】本発明の第３の実施例のブロック図
【図５】本発明の第４の実施例のブロック図
【図６】本発明の第５の実施例のブロック図
【図７】本発明の第５の実施例のブロック図
【図８】ＰＣカード内のファイル説明図
【符号の説明】
【００２９】
１  ＰＣカードスロットル部
２  再生手段
３  同期信号入力手段
４  映像音声出力手段
５  再生リスト管理手段
６  ＰＣカード制御手段
７  記録媒体制御手段
８  記録媒体挿入部
９  映像音声入力手段
１０  記録手段
１１  映像表示部
１２  ファイル作成制御手段
１０１  第１の実施例における映像記録再生装置
１０２  複数のＰＣカード
１０３  第２の実施例における映像記録再生装置
１０４  第３の実施例における映像記録再生装置
１０５  第４の実施例における映像記録再生装置
１０６  第５の実施例における映像記録再生装置
１０７  第６の実施例における映像記録再生装置
【図１】
2005236950.tif 000003
【図２】
2005236950.tif 000004
【図３】
2005236950.tif 000005
【図４】
2005236950.tif 000006
【図５】
2005236950.tif 000007
【図６】
2005236950.tif 000008
【図７】
2005236950.tif 000009
【図８】
2005236950.tif 000010